(57)【要約】      （修正有）【課題】既存のガラス温室に、透明フィルムの二重屋根を容易に敷設する。【解決手段】垂木１０と、嵩上げレール２０と、垂木カバー３０と、フィルム押さえ４０とを用いてガラス板Ｇ及び透明フィルムＦを固定する。嵩上げレール２０は、垂木１０の上側パッキン嵌合溝に抜け止め状態で嵌合する下端膨らみ部を全長に渡って備えている。垂木カバー３０は、ネジが螺合できる幅を有し、上端を拡張部とされた段付き溝からなる上開放溝が形成された支柱部３６を備えている。ガラス板Ｇ，Ｇを垂木１０と垂木カバー３０の間に挟み付けると共に、透明フィルムＦを垂木カバー３０とフィルム押さえ４０の間に挟み込み、フィルム押さえ４０の上から嵩上げレール２０に至る長さのネジを用いて、フィルム押さえ４０及び垂木カバー３０を、嵩上げレール２０に対してネジ止め固定する。【選択図】図１
0003142397.tif 000002
【実用新案登録請求の範囲】
【請求項１】
ガラス板を下方から支える下側パッキンを嵌合保持することのできる垂木と、ガラス板を上方から押さえる垂木カバーと、ガラス板から所定距離離して透明フィルムを張設するためのフィルム押さえと、を用いて以下の様に構成される温室の屋根構造。
（１１）前記垂木は、以下の構成を備えていること。
（１１ａ）抜け止め状態で下側パッキンの下部の膨らみを嵌合させる下側パッキン嵌合溝を左右両翼部の全長に渡って備えていること。
（１２）前記垂木カバーは、以下の構成を備えていること。
（１２ａ）前記下側パッキンと共同して前記ガラス板の挟持を行うための左右の脚部と、該左右の脚部間を連結する中央部と、該中央部から上方に伸ばされた支柱部とを備える断面形状とされていること。
（１２ｂ）前記支柱部の幅方向中心に上開放溝が長手方向に沿って形成されていること。
（１２ｃ）前記支柱部の上開放溝は、前記ネジ止めに際して使用するネジが螺合できる幅に形成されると共に、その上端が当該ネジ止めに際して使用するネジの軸の太さよりも幅広の拡張部となる様に段付き溝として形成されていること。
（１３）前記フィルム押さえは、前記垂木カバーの支柱部の上端の外壁間隔よりも広い内壁間隔を有するキャップ部材として構成されていること。
（１４）前記垂木カバーの脚部の下面に防水テープを介在させ、前記垂木に嵌合された下側パッキンとの間にガラス板を挟み付けると共に、前記フィルム押さえと前記支柱部の上端との間に透明フィルムを挟み込ませた状態で、前記フィルム押さえの上から前記垂木に至る長さのネジを用いて、該フィルム押さえ及び前記垂木カバーを、前記垂木に対してネジ止め固定した構造であること。
【請求項２】
ガラス板を下方から支える下側パッキンを嵌合保持することのできる垂木と、嵩上げレールと、ガラス板を上方から押さえる垂木カバーと、ガラス板から所定距離離して透明フィルムを張設するためのフィルム押さえと、を用いて以下の様に構成される温室の屋根構造。
（２１）前記垂木は、以下の構成を備えていること。
（２１ａ）抜け止め状態で下側パッキンの下部の膨らみを嵌合させる下側パッキン嵌合溝を左右両翼部の全長に渡って備えていること。
（２２ｂ）抜け止め状態で上側パッキンの下部の膨らみを嵌合させる上側パッキン嵌合溝を本体中央部に全長に渡って備えていること。
（２２）前記嵩上げレールは、以下の構成を備えていること。
（２２ａ）前記垂木の前記上側パッキン嵌合溝に抜け止め状態で嵌合する下端膨らみ部を全長に渡って備えていること。
（２２ｂ）前記ネジ止めに際して使用するネジが螺合できる幅に形成された上開放溝を備えていること。
（２２ｃ）前記上開放溝の上端から左右に張り出して前記垂木カバーを下から支持する垂木カバー支持部を全長に渡って備えていること。
（２３）前記垂木カバーは、以下の構成を備えていること。
（２３ａ）前記嵩上げレールの前記垂木カバー支持部によって支持される平板部と、該平板部の左右から斜め下方に向かって末広がりに伸びる傾斜板部と、該傾斜板部の下端から前記平板部と平行に外へ向かって伸びる脚部とを備えていること。
（２３ｂ）前記平板部から上方に伸びる支柱部が形成されていること。
（２３ｃ）前記支柱部の幅方向中心に上開放溝が長手方向に沿って形成されていること。
（２３ｄ）前記支柱部の上開放溝は、前記ネジ止めに際して使用するネジが螺合できる幅に形成されると共に、その上端が当該ネジ止めに際して使用するネジの軸の太さよりも幅広の拡張部となる様に段付き溝として形成されていること。
（２４）前記フィルム押さえは、前記垂木カバーの支柱部の上端の外壁間隔よりも広い内壁間隔を有するキャップ部材として構成されていること。
（２５）前記垂木の下側パッキン嵌合溝に下側パッキンを嵌合させると共に、該垂木の上側パッキン嵌合溝に前記嵩上げレールを嵌合させ、前記垂木カバーの脚部の下面に防水テープを介在させた状態で前記垂木に嵌合された下側パッキンとの間にガラス板を挟み付けると共に、前記フィルム押さえと前記支柱部の上端との間に透明フィルムを挟み込ませた状態で、前記フィルム押さえの上から前記嵩上げレールに至る長さのネジを用いて、該フィルム押さえ及び前記垂木カバーを、前記嵩上げレールに対してネジ止め固定した構造であること。
【考案の詳細な説明】
【技術分野】
【０００１】
本考案は、各種の農作物や園芸植物等の栽培に使用する温室の改良に係り、特に、温室をガラス等の透明板と、農業用フィルム等の透明フィルムとによって屋根を二重構造とするための技術に関する。
【背景技術】
【０００２】
従来、ガラス温室において、保温性能を高めるために屋根を二重構造とする提案がなされている（例えば、特許文献１，２）。
【０００３】
特許文献１は、ガラス板で構成された屋根の内側に透明フィルムを張り渡すことを提案している。
【０００４】
特許文献２は、二重ガラスを用いることを提案している。
【特許文献１】特開平４−１７３０２５号公報（特許請求の範囲）
【特許文献２】特開２００４−１０５１３２号公報（要約）
【考案の開示】
【考案が解決しようとする課題】
【０００５】
特許文献１に記載された技術は、ガラス温室の内側に透明フィルムを張り渡す作業やメンテナンス作業が困難になるという問題点がある。特許文献２に記載された技術は、高価な二重ガラスを用いなければならないという問題点がある。
【０００６】
また、特許文献１，２に記載された技術は、既存のガラス温室に対して屋根を改造して二重構造にしたいという要望には応えることができない。
【０００７】
そこで、本考案は、施工並びにメンテナンスが容易な二重構造屋根を提供することを第１の目的とし、さらに、既存の温室にも適用できる様にすることを第２の目的とする。
【課題を解決するための手段】
【０００８】
上記第１の目的を達成するためになされた本考案の温室の屋根構造は、ガラス板を下方から支える下側パッキンを嵌合保持することのできる垂木と、ガラス板を上方から押さえる垂木カバーと、ガラス板から所定距離離して透明フィルムを張設するためのフィルム押さえと、を用いて以下の様に構成される。
（１１）前記垂木は、以下の構成を備えていること。
（１１ａ）抜け止め状態で下側パッキンの下部の膨らみを嵌合させる下側パッキン嵌合溝を左右両翼部の全長に渡って備えていること。
（１２）前記垂木カバーは、以下の構成を備えていること。
（１２ａ）前記下側パッキンと共同して前記ガラス板の挟持を行うための左右の脚部と、該左右の脚部間を連結する中央部と、該中央部から上方に伸ばされた支柱部とを備える断面形状とされていること。
（１２ｂ）前記支柱部の幅方向中心に上開放溝が長手方向に沿って形成されていること。
（１２ｃ）前記支柱部の上開放溝は、前記ネジ止めに際して使用するネジが螺合できる幅に形成されると共に、その上端が当該ネジ止めに際して使用するネジの軸の太さよりも幅広の拡張部となる様に段付き溝として形成されていること。
（１３）前記フィルム押さえは、前記垂木カバーの支柱部の上端の外壁間隔よりも広い内壁間隔を有するキャップ部材として構成されていること。
（１４）前記垂木カバーの脚部の下面に防水テープを介在させ、前記垂木に嵌合された下側パッキンとの間にガラス板を挟み付けると共に、前記フィルム押さえと前記支柱部の上端との間に透明フィルムを挟み込ませた状態で、前記フィルム押さえの上から前記垂木に至る長さのネジを用いて、該フィルム押さえ及び前記垂木カバーを、前記垂木に対してネジ止め固定した構造であること。
【０００９】
ここで、垂木カバーの支柱部の上開放溝のネジを螺合できる幅の部分には、左右の内壁面には、上下方向にずらして長手方向に伸びる突条を形成しておくとよい。また、垂木にも、垂木カバーの支柱部の上開放溝と一直線になる様に、内壁面に同様の突条が形成された上開放溝を全長に渡って備えさせておくとよい。さらに、フィルム押さえには、上面中心に三角形断面の溝を全長に渡って刻設しておくと、ネジ止めに際してネジの先端の位置あわせが容易になる。
【００１０】
上記第２の目的を達成するためになされた本考案の温室の屋根構造は、ガラス板を下方から支える下側パッキンを嵌合保持することのできる垂木と、嵩上げレールと、ガラス板を上方から押さえる垂木カバーと、ガラス板から所定距離離して透明フィルムを張設するためのフィルム押さえと、を用いて以下の様に構成される。
（２１）前記垂木は、以下の構成を備えていること。
（２１ａ）抜け止め状態で下側パッキンの下部の膨らみを嵌合させる下側パッキン嵌合溝を左右両翼部の全長に渡って備えていること。
（２２ｂ）抜け止め状態で上側パッキンの下部の膨らみを嵌合させる上側パッキン嵌合溝を本体中央部に全長に渡って備えていること。
（２２）前記嵩上げレールは、以下の構成を備えていること。
（２２ａ）前記垂木の前記上側パッキン嵌合溝に抜け止め状態で嵌合する下端膨らみ部を全長に渡って備えていること。
（２２ｂ）前記ネジ止めに際して使用するネジが螺合できる幅に形成された上開放溝を備えていること。
（２２ｃ）前記上開放溝の上端から左右に張り出して前記垂木カバーを下から支持する垂木カバー支持部を全長に渡って備えていること。
（２３）前記垂木カバーは、以下の構成を備えていること。
（２３ａ）前記嵩上げレールの前記垂木カバー支持部によって支持される平板部と、該平板部の左右から斜め下方に向かって末広がりに伸びる傾斜板部と、該傾斜板部の下端から前記平板部と平行に外へ向かって伸びる脚部とを備えていること。
（２３ｂ）前記平板部から上方に伸びる支柱部が形成されていること。
（２３ｃ）前記支柱部の幅方向中心に上開放溝が長手方向に沿って形成されていること。
（２３ｄ）前記支柱部の上開放溝は、前記ネジ止めに際して使用するネジが螺合できる幅に形成されると共に、その上端が当該ネジ止めに際して使用するネジの軸の太さよりも幅広の拡張部となる様に段付き溝として形成されていること。
（２４）前記フィルム押さえは、前記垂木カバーの支柱部の上端の外壁間隔よりも広い内壁間隔を有するキャップ部材として構成されていること。
（２５）前記垂木の下側パッキン嵌合溝に下側パッキンを嵌合させると共に、該垂木の上側パッキン嵌合溝に前記嵩上げレールを嵌合させ、前記垂木カバーの脚部の下面に防水テープを介在させた状態で前記垂木に嵌合された下側パッキンとの間にガラス板を挟み付けると共に、前記フィルム押さえと前記支柱部の上端との間に透明フィルムを挟み込ませた状態で、前記フィルム押さえの上から前記嵩上げレールに至る長さのネジを用いて、該フィルム押さえ及び前記垂木カバーを、前記嵩上げレールに対してネジ止め固定した構造であること。
【００１１】
この考案においても、垂木カバーの支柱部の上開放溝のネジを螺合できる幅の部分には、左右の内壁面には、上下方向にずらして長手方向に伸びる突条を形成しておくとよい。また、嵩上げレールの上開放溝も、内壁面に同様の突条が形成された上開放溝としておくとよい。さらに、フィルム押さえには、上面中心に三角形断面の溝を全長に渡って刻設しておくと、ネジ止めに際してネジの先端の位置あわせが容易になる。
【考案の効果】
【００１２】
本考案によれば、ガラス板の上方に所定距離を開けて透明フィルムを張設して、ガラス板と透明フィルムとによる二重構造の屋根を敷設することができる。この作業において、透明フィルムはガラス板の外側に位置するので、屋根の上から作業することができ、温室内に足場を組む必要がない。従って、透明フィルムの張り替え作業も容易に実施することができる。
【００１３】
また、嵩上げレールをも備えた構成の本考案によれば、大型上押さえパッキンを使用している既存の温室に対して、容易に二重構造屋根への改装をすることができる。
【考案を実施するための最良の形態】
【００１４】
次に、本考案の実施の形態について説明する。実施形態としての温室の屋根構造は、図１，図２に示す様に、垂木１０と、嵩上げレール２０と、垂木カバー３０と、フィルム押さえ４０とを用いてガラス板Ｇ及び透明フィルムＦを固定する。
【００１５】
垂木１０は、元々は、図３に示す様に、左右両翼部に下側パッキンＰ１，Ｐ１を、本体中央部に上側パッキンＰ２を嵌合させることのできるものである。このため、図１，図２に示す様に、抜け止め状態で下側パッキンＰ１，Ｐ１の下部の膨らみを嵌合させる下側パッキン嵌合溝１１，１１を左右両翼部の全長に渡って備えている。また、抜け止め状態で上側パッキンＰ２の下部の膨らみを嵌合させる上側パッキン嵌合溝１３を本体中央部に全長に渡って備えている。
【００１６】
嵩上げレール２０は、図１，図２に示す様に、上側パッキンＰ２の代わりに嵌合さるため、垂木１０の上側パッキン嵌合溝１３に抜け止め状態で嵌合する下端膨らみ部２１を全長に渡って備えている。また、左右壁面において上下方向にずらして形成された長手方向に伸びる突条２２が形成された内壁面を有する上開放溝２３を全長に渡って備えている。さらに、上開放溝２３の上端から左右に張り出して垂木カバー３０を下から支持する垂木カバー支持部２４，２４を全長に渡って備えている。
【００１７】
垂木カバー３０は、図１，図２に示す様に、嵩上げレール２０の垂木カバー支持部２４，２４によって支持される平板部３１と、平板部３１の左右から斜め下方に向かって末広がりに伸びる傾斜板部３２，３２と、傾斜板部３２，３２の下端から平板部３１と平行に外へ向かって伸びる脚部３３，３３とを備えている。また、平板部３１の下面には、嵩上げレール２０の垂木カバー支持部２４，２４がちょうど嵌り込む様に、垂直壁３５，３５が全長に渡って備えられている。さらに、平板部３１の上面中央には、上方に伸びる支柱部３６が形成されている。
【００１８】
支柱部３６には、幅方向中心に上開放溝３７が長手方向に沿って形成されている。この支柱部３６の上開放溝３７は、ネジ止めに際して使用するネジが螺合できる幅に形成されている共に、その上端が当該ネジ止めに際して使用するネジの軸の太さよりも幅広の拡張部３８となる様に段付き溝として形成されている。また、上開放溝３７の内壁面には、左右壁面において上下方向にずらして長手方向に伸びる突条３９が形成されている。
【００１９】
フィルム押さえ４０は、図１，図２に示す様に、垂木カバー３０の支柱部３６の上端の外壁間隔よりも広い内壁間隔を有するキャップ部材として構成されている。また、その上面中心には、三角形断面の溝４１を全長に渡って刻設されている。
【００２０】
そして、図１に示す様に、垂木１０の下側パッキン嵌合溝１１，１１に下側パッキンＰ１，Ｐ１を嵌合させると共に、垂木１０の上側パッキン嵌合溝１３に嵩上げレール２０を嵌合させ、垂木カバー３０の脚部３３，３３の下面に防水テープＴ，Ｔを貼り付ける。そして、この防水テープＴ，Ｔが貼り付けられた脚部３３，３３と、下側パッキンＰ１，Ｐ１との間にガラス板Ｇ，Ｇを挟み付けると共に、フィルム押さえ４０と支柱部３６の上端との間に透明フィルムＦを挟み込ませた状態とする。そして、フィルム押さえ４０の上から嵩上げレール２０に至る長さのネジを用いて、フィルム押さえ４０及び垂木カバー３０を、嵩上げレール２０に対してネジ止め固定する。
【００２１】
本実施形態によれば、図３に示した様な既存の温室に対して、透明フィルムＦを用いた二重構造の屋根へと容易に改装することができる。
【００２２】
以上、本考案の一実施の形態について説明したが、本考案はこの実施の形態に限られるものではなく、その要旨を逸脱しない範囲内においてさらに種々の形態を採用することができることはもちろんである。
【００２３】
例えば、新規に温室を建設するならば、上述した実施形態の垂木１０と嵩上げレール２０が一体化された型材を垂木として用いる様にすればよい。
【図面の簡単な説明】
【００２４】
【図１】実施形態の温室の屋根構造を示す断面図である。
【図２】実施形態の温室の屋根構造を構成する各部品の断面図である。
【図３】既存温室の屋根構造の断面図である。
【符号の説明】
【００２５】
１０・・・垂木
１１・・・下側パッキン嵌合溝
１３・・・上側パッキン嵌合溝
２０・・・嵩上げレール
２１・・・下端膨らみ部
２２・・・突条
２３・・・上開放溝
２４・・・垂木カバー支持部
３０・・・垂木カバー
３１・・・平板部
３２・・・傾斜板部
３３・・・脚部
３５・・・垂直壁
３６・・・支柱部
３７・・・上開放溝
３８・・・拡張部
３９・・・突条
４０・・・フィルム押さえ
４１・・・三角形断面の溝
Ｆ・・・透明フィルム
Ｇ・・・ガラス板
Ｐ１，Ｐ１・・・下側パッキン嵌合溝
Ｐ２・・・上側パッキン嵌合溝
【図１】
0003142397.tif 000003
【図２】
0003142397.tif 000004
【図３】
0003142397.tif 000005